(57)【要約】【課題】信号線に供給される信号のばらつきを低減する。【解決手段】第１供給回路２００ａは、データ信号ＶID[ｊｏｄｄ]を奇数番目の分配回路２１[ｊｏｄｄ]に出力し、第２供給回路２００ｂは、データ信号ＶID[ｊｅｖｅｎ]を偶数番目の分配回路２１[ｊｅｖｅｎ]に出力する。合成回路４００ａおよび４００ｂは、第１供給回路２００ａが出力した選択信号ＳＥＬ１[１]〜ＳＥＬ１[Ｋ]と、第２供給回路２００ｂが出力した選択信号ＳＥＬ２[１]〜ＳＥＬ２[Ｋ]とを合成して選択信号ＳＥＬ３[１]〜ＳＥＬ３[Ｋ]を生成する。奇数番目の分配回路２１[ｊｏｄｄ]は、選択信号ＳＥＬ３[１]〜ＳＥＬ３[Ｋ]を用いて、データ信号ＶID[ｊｏｄｄ]を信号線１４に分配する。偶数番目の分配回路２１[ｊｅｖｅｎ]は、選択信号ＳＥＬ３[１]〜ＳＥＬ３[Ｋ]を用いて、データ信号ＶID[ｊｅｖｅｎ]を信号線１４に分配する。【選択図】図３
2018017792.tif 000002
【特許請求の範囲】
【請求項１】
第１信号線群に属する複数の第１信号線と複数の走査線との各交差に対応して配置され前記走査線の選択時に前記第１信号線に供給される第１データ信号に応じた階調を表示する複数の第１画素と、
第２信号線群に属する複数の第２信号線と前記複数の走査線との各交差に対応して配置され前記走査線の選択時に前記第２信号線に供給される第２データ信号に応じた階調を表示する複数の第２画素と、
前記第１データ信号と第１選択信号を供給する第１供給部と、
前記第２データ信号と第２選択信号を供給する第２供給部と、
前記第１選択信号および前記第２選択信号に応じて前記第１データ信号を前記第１信号線に分配する第１分配部と、
前記第１選択信号および前記第２選択信号に応じて前記第２データ信号を前記第２信号線に分配する第２分配部と、
を含み、
前記第１選択信号および前記第２選択信号は同じタイミングの波形であり、第３選択信号を形成する
ことを特徴とする電気光学装置。
【請求項２】
複数の走査線と、
複数の第１信号線と、
複数の第２信号線と、
前記複数の走査線と前記複数の第１信号線との交差の各々に対応して設けられ前記走査線の選択時に前記第１信号線に供給された第１データ信号に応じた表示を実行する複数の第１画素と、
前記複数の走査線と前記複数の第２信号線との交差の各々に対応して設けられ前記走査線の選択時に前記第２信号線に供給された第２データ信号に応じた表示を実行する複数の第２画素と、
前記複数の走査線の各々を順次に選択する走査線駆動部と、
前記第１データ信号の前記複数の第１信号線への分配および前記第２データ信号の前記複数の第２信号線への分配を制御する複数の第１選択信号と、前記第１データ信号とを出力する第１供給部と、
前記複数の第１選択信号と１対１で対応し前記第１データ信号の前記複数の第１信号線への分配および前記第２データ信号の前記複数の第２信号線への分配を制御する複数の第２選択信号と、前記第２データ信号とを出力する第２供給部と、
前記第１選択信号ごとに、当該第１選択信号を当該第１選択信号に対応する前記第２選択信号と合成して第３選択信号を生成する合成部と、
複数の前記第３選択信号を用いて、前記第１データ信号を前記複数の第１信号線へ分配する第１分配部と、
複数の前記第３選択信号を用いて、前記第２データ信号を前記複数の第２信号線へ分配する第２分配部と、
を備えることを特徴とする電気光学装置。
【請求項３】
前記第１供給部から前記第１データ信号および前記複数の第１選択信号を受ける第１入力部と、
前記第２供給部から前記第２データ信号および前記複数の第２選択信号を受ける第２入力部とが設けられた電気光学パネルを備え、
前記複数の走査線と、前記複数の第１信号線と、前記複数の第２信号線と、前記複数の第１画素と、前記複数の第２画素と、前記走査線駆動部と、前記第１分配部と、前記第２分配部と、前記合成部は、前記電気光学パネルに設けられ、
前記合成部は、前記第１入力部を介して前記複数の第１選択信号を受け、前記第２入力部を介して前記複数の第２選択信号を受け、
前記第１分配部は、前記第１入力部を介して前記第１データ信号を受け、前記合成部から前記複数の第３選択信号を受け、
前記第２分配部は、前記第２入力部を介して前記第２データ信号を受け、前記合成部から前記複数の第３選択信号を受け、
前記第１入力部と前記第２入力部とは、前記第１信号線の長さ方向に並んでいる、
ことを特徴とする請求項２に記載の電気光学装置。
【請求項４】
前記第１入力部は、前記第２入力部よりも、前記第１分配部側および前記第２分配部側に設けられており、
前記電気光学パネルは、前記複数の第３選択信号と１対１で対応する複数の配線を備え、
前記複数の配線は、前記第１入力部と前記第１分配部との間および前記第１入力部と前記第２分配部との間に設けられ、
前記合成部は、前記第１入力部と前記複数の配線との間に設けられ、
前記配線は、対応する前記第３選択信号を、前記合成部から前記第１分配部および前記第２分配部に伝送する、
ことを特徴とする請求項３に記載の電気光学装置。
【請求項５】
前記第１入力部は、前記複数の第１選択信号と１対１で対応する複数の第１選択信号入力部を備え、
前記第２入力部は、前記複数の第２選択信号と１対１で対応する複数の第２選択信号入力部を備え、
前記電気光学パネルは、
前記複数の第１選択信号と１対１で対応する複数の第１配線と、
前記複数の第２選択信号と１対１で対応する複数の第２配線と、を備え、
前記第１選択信号入力部には、対応する前記第１選択信号が入力され、
前記第２選択信号入力部には、対応する前記第２選択信号が入力され、
前記第１配線は、対応する前記第１選択信号が入力される前記第１選択信号入力部と接続され、
前記第２配線は、対応する前記第２選択信号が入力される前記第２選択信号入力部と接続され、
前記合成部は、前記第１配線ごとに、当該第１配線と、当該第１配線を通る前記第１選択信号と対応する前記第２選択信号が通る前記第２配線と、を接続する接続部を備え、
前記第１配線は、当該第１配線を通る前記第１選択信号と対応する前記第２選択信号が通る前記第２配線と隣り合っている、
ことを特徴とする請求項４に記載の電気光学装置。
【請求項６】
前記複数の走査線と、前記複数の第１信号線と、前記複数の第２信号線と、前記複数の第１画素と、前記複数の第２画素と、前記走査線駆動部と、前記第１分配部と、前記第２分配部と、前記合成部とが設けられた電気光学パネルをさらに備え、
前記合成部は、前記複数の第１選択信号と１対１で対応する複数の接続パッドを備え、
前記複数の接続パッドの各々には、対応する前記第１選択信号と、当該第１選択信号に対応する前記第２選択信号とが入力される、
ことを特徴とする請求項２に記載の電気光学装置。
【請求項７】
請求項１から６いずれか１項に記載の電気光学装置を備えることを特徴とする電子機器。
【請求項８】
第１供給部は、第１データ信号と第１選択信号を供給し、
第２供給部は、第２データ信号と第２選択信号を供給し、
第１分配部は、前記第１選択信号および前記第２選択信号を用いて前記第１データ信号を第１信号線に分配し、
第２分配部は、前記第１選択信号および前記第２選択信号を用いて前記第２データ信号を第２信号線に分配し、
前記第１信号線と走査線との交差に対応して配置された第１画素は、前記走査線の選択時に前記第１信号線に供給された前記第１データ信号に応じた階調を表示し、
前記第２信号線と前記走査線との交差に対応して配置された第２画素は、前記走査線の選択時に前記第２信号線に供給された前記第２データ信号に応じた階調を表示し、
前記第１選択信号および前記第２選択信号は同じタイミングの波形であり、第３選択信号を形成する
ことを特徴とする電気光学装置の駆動方法。
【発明の詳細な説明】
【技術分野】
【０００１】
本発明は、電気光学装置および電子機器に関する。
【背景技術】
【０００２】
高精細な電気光学装置（例えば、液晶表示装置）では、１個の駆動回路のみでデータ信号を出力する場合、その１個の駆動回路に大きな負担がかかる。この負担を低減できる手法として、複数個（２個）の駆動回路を用いてデータ信号を出力する手法が知られている（特許文献１参照）。
【先行技術文献】
【特許文献】
【０００３】
【特許文献１】特開２００７−２１２９５６号公報
【発明の概要】
【発明が解決しようとする課題】
【０００４】
ところで、電気光学装置が、駆動回路の出力するデータ信号を選択信号に応じて複数の信号線に分配するデマルチプレクサー等の分配回路を有する場合がある。ここで、各駆動回路が、データ信号に加えて分配回路用の選択信号を出力することも可能である。この場合、複数の駆動回路のいずれかが出力した選択信号のみを用いて分配回路を制御するケースが考えられる。
しかしながら、このケースでは、駆動回路間で、選択信号を分配回路に供給するか否かという動作条件の違いが生じてしまう。選択信号を分配回路に供給しない駆動回路では、選択信号の出力に伴う電源電圧の変動は生じないが、選択信号を分配回路に供給する駆動回路では、選択信号の出力に伴って電源電圧が変動（例えば、選択信号の立下りに伴って電源電圧が電圧の低い側へ変動）する。この電源電圧の変動の違いは、各駆動回路間でデータ信号のばらつきを引き起こし、画質の低下を引き起こすおそれがある。
【０００５】
本発明は上述した事情に鑑みてなされたものであり、データ信号のばらつきに起因する画質の低下を抑制し、高精細で高品質な表示を行うことを解決課題とする。
【課題を解決するための手段】
【０００６】
本発明の電気光学装置の一態様は、第１信号線群に属する複数の第１信号線と複数の走査線との各交差に対応して配置され前記走査線の選択時に前記第１信号線に供給される第１データ信号に応じた階調を表示する複数の第１画素と、第２信号線群に属する複数の第２信号線と前記複数の走査線との各交差に対応して配置され前記走査線の選択時に前記第２信号線に供給される第２データ信号に応じた階調を表示する複数の第２画素と、前記第１データ信号と第１選択信号を供給する第１供給部と、前記第２データ信号と第２選択信号を供給する第２供給部と、前記第１選択信号および前記第２選択信号に応じて前記第１データ信号を前記第１信号線に分配する第１分配部と、前記第１選択信号および前記第２選択信号に応じて前記第２データ信号を前記第２信号線に分配する第２分配部と、を含み、前記第１選択信号および前記第２選択信号は同じタイミングの波形であり、第３選択信号を形成することを特徴とする。
この態様によれば、第１分配部と第２分配部の各々は、第１選択信号および第２選択信号を用いて信号の分配を行う。このため、第１供給部と第２供給部のいずれか一方から出力された選択信号のみが第１分配部および第２分配部に供給される場合に比べて、第１供給部と第２供給部との間の負荷の差が小さくなる。よって、第１供給部からの第１データが供給される第１画素と第２供給部からの第２データ信号が供給される第２画素との間の輝度等のばらつきを低減可能となる。
【０００７】
また、本発明の電気光学装置の一態様は、複数の走査線と、複数の第１信号線と、複数の第２信号線と、前記複数の走査線と前記複数の第１信号線との交差の各々に対応して設けられ前記走査線の選択時に前記第１信号線に供給された第１データ信号に応じた表示を実行する複数の第１画素と、前記複数の走査線と前記複数の第２信号線との交差の各々に対応して設けられ前記走査線の選択時に前記第２信号線に供給された第２データ信号に応じた表示を実行する複数の第２画素と、前記複数の走査線の各々を順次に選択する走査線駆動部と、前記第１データ信号の前記複数の第１信号線への分配および前記第２データ信号の前記複数の第２信号線への分配を制御する複数の第１選択信号と、前記第１データ信号とを出力する第１供給部と、前記複数の第１選択信号と１対１で対応し前記第１データ信号の前記複数の第１信号線への分配および前記第２データ信号の前記複数の第２信号線への分配を制御する複数の第２選択信号と、前記第２データ信号とを出力する第２供給部と、前記第１選択信号ごとに、当該第１選択信号を当該第１選択信号に対応する前記第２選択信号と合成して第３選択信号を生成する合成部と、複数の前記第３選択信号を用いて、前記第１データ信号を前記複数の第１信号線へ分配する第１分配部と、複数の前記第３選択信号を用いて、前記第２データ信号を前記複数の第２信号線へ分配する第２分配部と、を備えることを特徴とする。
この態様によれば、第１分配部と第２分配部の各々は、第１選択信号と第２選択信号とを合成して生成された第３選択信号を用いて信号の分配を行う。つまり、第１選択信号と第２選択信号との両方が第１分配部と第２分配部とを駆動するために使用されることになる。このため、第１供給部と第２供給部のいずれか一方から出力された選択信号のみが第１分配部および第２分配部に供給される場合に比べて、第１供給部と第２供給部との間の負荷の差が小さくなる。よって、第１供給部と第２供給部との間の負荷の相違に起因する第１データ信号と第２データ信号との間のばらつきを低減でき、画質の低下を抑制可能となる。
【０００８】
上述した電気光学装置において、前記第１供給部から前記第１データ信号および前記複数の第１選択信号を受ける第１入力部と、前記第２供給部から前記第２でーた信号および前記複数の第２選択信号を受ける第２入力部とが設けられた電気光学パネルを備え、前記複数の走査線と、前記複数の第１信号線と、前記複数の第２信号線と、前記複数の第１画素と、前記複数の第２画素と、前記走査線駆動部と、前記第１分配部と、前記第２分配部と、前記合成部は、前記電気光学パネルに設けられ、前記合成部は、前記第１入力部を介して前記複数の第１選択信号を受け、前記第２入力部を介して前記複数の第２選択信号を受け、前記第１分配部は、前記第１入力部を介して前記第１データ信号を受け、前記合成部から前記複数の第３選択信号を受け、前記第２分配部は、前記第２入力部を介して前記第２データ信号を受け、前記合成部から前記複数の第３選択信号を受け、前記第１入力部と前記第２入力部とは、前記第１信号線の長さ方向に並んでいることが望ましい。
この態様によれば、第１入力部と第２入力部との並び方向が、第１信号線の長さ方向に直交する方向（以下「特定方向」と称する）と一致するに比べて、第１入力部と第２入力部とを並べた構成における特定方向の長さを短くできる。
【０００９】
上述した電気光学装置において、前記第１入力部は、前記第２入力部よりも、前記第１分配部側および前記第２分配部側に設けられており、前記電気光学パネルは、前記複数の第３選択信号と１対１で対応する複数の配線を備え、前記複数の配線は、前記第１入力部と前記第１分配部との間および前記第１入力部と前記第２分配部との間に設けられ、前記合成部は、前記第１入力部と前記複数の配線との間に設けられ、前記配線は、対応する前記第３選択信号を、前記合成部から前記第１分配部および前記第２分配部に伝送することが望ましい。
この態様によれば、第１選択信号と第２選択信号とが複数の配線に到達する前に、第１選択信号と第２選択信号とを合成できる。
このため、第１選択信号が複数の配線に直接供給され、かつ、第２選択信号が複数の配線に直接供給される場合に比べて、第１選択信号のみを伝送する配線の長さ、および第２選択信号のみを伝送する配線の長さを短くできる。
【００１０】
上述した電気光学装置において、前記第１入力部は、前記複数の第１選択信号と１対１で対応する複数の第１選択信号入力部を備え、前記第２入力部は、前記複数の第２選択信号と１対１で対応する複数の第２選択信号入力部を備え、前記電気光学パネルは、前記複数の第１選択信号と１対１で対応する複数の第１配線と、前記複数の第２選択信号と１対１で対応する複数の第２配線と、を備え、前記第１選択信号入力部には、対応する前記第１選択信号が入力され、前記第２選択信号入力部には、対応する前記第２選択信号が入力され、前記第１配線は、対応する前記第１選択信号が入力される前記第１選択信号入力部と接続され、前記第２配線は、対応する前記第２選択信号が入力される前記第２選択信号入力部と接続され、前記合成部は、前記第１配線ごとに、当該第１配線と、当該第１配線を通る前記第１選択信号と対応する前記第２選択分配信号が通る前記第２配線と、を接続する接続部を備え、前記第１配線は、当該第１配線を通る前記第１選択信号と対応する前記第２選択信号が通る前記第２配線と隣り合っていることが望ましい。
この態様によれば、第１配線は、該第１配線を通る第１選択信号と対応する第２選択信号が通る第２配線と隣り合っているので、この２つの配線が隣り合っていない場合に比べて、この２つの配線を合成するために必要となる配線を短くできる。
【００１１】
上述した電気光学装置において、前記複数の走査線と、前記複数の第１信号線と、前記複数の第２信号線と、前記複数の第１画素と、前記複数の第２画素と、前記走査線駆動部と、前記第１分配部と、前記第２分配部と、前記合成部とが設けられた電気光学パネルをさらに備え、前記合成部は、前記複数の第１選択信号と１対１で対応する複数の接続パッドを備え、前記複数の接続パッドの各々には、対応する前記第１選択信号と、当該第１選択信号に対応する前記第２選択信号とが入力されることが望ましい。
この態様によれば、接続パッドで第１選択信号と第２選択信号とを合成することが可能になる。
【００１２】
本発明の電子機器の一態様は、上述した電気光学装置を備える。そのような電気光学装置は、画質の低下を抑制可能になる。
【００１３】
本発明の電気光学装置の駆動方法の一態様は、第１供給部は、第１データ信号と第１選択信号を供給し、第２供給部は、第２データ信号と第２選択信号を供給し、第１分配部は、前記第１選択信号および前記第２選択信号を用いて前記第１データ信号を第１信号線に分配し、第２分配部は、前記第１選択信号および前記第２選択信号を用いて前記第２データ信号を第２信号線に分配し、前記第１信号線と走査線との各交差に対応して配置された第１画素は、前記走査線の選択時に前記第１信号線に供給された前記第１データ信号に応じた階調を表示し、前記第２信号線と前記走査線との各交差に対応して配置された第２画素は、前記走査線の選択時に前記第２信号線に供給された前記第２データ信号に応じた階調を表示し、前記第１選択信号および前記第２選択信号は同じタイミングの波形であり、第３選択信号を形成する、ことを特徴とする。
この態様によれば、第１分配部と第２分配部の各々は、第１選択信号および第２選択信号を用いて信号の分配を行う。このため、第１供給部と第２供給部のいずれか一方から出力された選択信号のみが第１分配部および第２分配部に供給される場合に比べて、第１供給部と第２供給部との間の負荷の差が小さくなる。よって、第１供給部からの第１データが供給される第１画素と第２供給部からの第２データ信号が供給される第２画素との間の輝度等のばらつきを低減可能となる。
【図面の簡単な説明】
【００１４】
【図１】本発明を採用した第１実施形態に係る電気光学装置１の斜視図である。
【図２】電気光学装置１の斜視図である。
【図３】電気光学装置１を示す図である。
【図４】画素ＰIXの回路図である。
【図５】電気光学装置１の動作の説明図である。
【図６】電気光学装置１の一部の構成を示す図である。
【図７】合成回路４００ａおよび４００ｂの一例を示した図である。
【図８】電気光学装置１の一部の構成を示す図である。
【図９】第２実施形態の合成回路４００ａおよび４００ｂの一例を示した図である。
【図１０】電子機器の形態（投射型表示装置）を示す斜視図である。
【発明を実施するための形態】
【００１５】
以下、図面を参照しながら本発明に係る実施の形態を説明する。なお、図面において各部の寸法や縮尺は実際のものと適宜異なる。また、以下に記載する実施の形態は、本発明の好適な具体例であるから技術的に好ましい種々の限定が付されているが、本発明の範囲は、以下の説明において特に本発明を限定する旨の記載がない限り、これらの形態に限られるものではない。
【００１６】
＜第１実施形態＞
図１は、本発明の一実施形態である電気光学装置１の信号伝送系の構成を示す図である。電気光学装置１は、電気光学パネル１００と、第１供給回路２００ａと、第２供給回路２００ｂと、第１配線基板としてのフレキシブル（Flexible Printed Circuits）回路基板３００ａおよび第２配線基板としてのフレキシブル回路基板３００ｂと、を備えている。なお、この電気光学装置１は、例えば、フルハイビジョンの画素数を縦２倍、横２倍とし、３８４０×２１６０の画素数を有するものであってもよい。また、第１供給回路２００ａと第２供給回路２００ｂとの各々は、例えば、駆動用集積回路である。
図２は、本発明を採用した第１実施形態に係る電気光学装置１の構成例を示す斜視図である。図２は、図１の主要部の反対面の斜視図である。
＜電気光学装置１の概略＞
電気光学装置１は、電気光学パネル１００の一辺にフレキシブル回路基板３００ａおよび３００ｂが接続された構成である。
【００１７】
第１供給回路２００ａは、フレキシブル回路基板３００ａにＣＯＦ（Chip On Film）技術によって実装されている。第２供給回路２００ｂは、フレキシブル回路基板３００ｂにＣＯＦ技術によって実装されている。フレキシブル回路基板３００ａは、フレキシブル回路基板３００ｂに積層されている。第１供給回路２００ａは、第２供給回路２００ｂに積層されている。このように本実施形態では、フレキシブル回路基板３００ａとフレキシブル回路基板３００ｂは、電気光学パネル１００の表示面に垂直な方向（ｚ方向）において一部が重なるように取り付けられる。
【００１８】
電気光学パネル１００は、第１入力部１１０ａと、第２入力部１１０ｂと、合成回路４００ａおよび４００ｂ（図３参照）と、を備えている。
【００１９】
第１入力部１１０ａは入力端子群である。第１入力部１１０ａは、例えば、第１供給回路２００ａが出力した各種信号を、フレキシブル回路基板３００ａを介して受ける。第２入力部１１０ｂは入力端子群である。第２入力部１１０ｂは、例えば、第２供給回路２００ｂが出力した各種信号を、フレキシブル回路基板３００ｂを介して受ける。電気光学パネル１００は、第１入力部１１０ａが受けた各種信号と、第２入力部１１０ｂが受けた各種信号と、に基づいて駆動する。
【００２０】
フレキシブル回路基板３００ａおよび３００ｂには、信号を伝送するための配線（図１、２では省略）が設けられている。
【００２１】
フレキシブル回路基板３００ａの配線の一方の端部（接続端子３００ａ１）は、電気光学パネル１００の第１入力部１１０ａに接続されている。フレキシブル回路基板３００ａの配線の他方の端部は、制御回路５００（図３参照）が設けられている制御基板（不図示）に接続されている。第１供給回路２００ａは、フレキシブル回路基板３００ａの配線を介して、電気光学パネル１００と制御回路５００とに電気的に接続されている。
【００２２】
フレキシブル回路基板３００ｂの配線の一方の端部（接続端子３００ｂ１）は、電気光学パネル１００の第２入力部１１０ｂに接続されている。フレキシブル回路基板３００ｂの配線の他方の端部は、制御回路５００が設けられている制御基板（不図示）に接続されている。第２供給回路２００ｂは、フレキシブル回路基板３００ｂの配線を介して、電気光学パネル１００と制御回路５００とに電気的に接続されている。
【００２３】
第１供給回路２００ａは、制御回路５００から、デジタルデータ信号Ｄ−ＶID、および駆動制御のための各種の信号（例えば、複数の選択信号ＳＥＬ、垂直同期信号ＶSYNCおよび水平同期信号ＨSYNC）を受信する。デジタルデータ信号Ｄ−ＶIDは、電気光学パネル１００内の画素ＰIX（図３参照）の階調を時分割で指定するデジタル信号である。第１供給回路２００ａは、デジタルデータ信号Ｄ−ＶIDが時分割で指定した電位を含むデータ信号ＶIDを生成する。
複数の選択信号ＳＥＬは、データ信号ＶIDを信号線１４（図３参照）に分配するために使用される。
第１供給回路２００ａは、データ信号ＶIDと複数の選択信号ＳＥＬとを電気光学パネル１００に出力する。
【００２４】
第２供給回路２００ｂは、制御回路５００から、デジタルデータ信号Ｄ−ＶIDおよび駆動制御のための各種の信号（例えば、複数の選択信号ＳＥＬ、垂直同期信号ＶSYNCおよび水平同期信号ＨSYNC）を受信する。第２供給回路２００ｂは、デジタルデータ信号Ｄ−ＶIDが時分割で指定した電位を含むデータ信号ＶIDを生成する。第２供給回路２００ｂは、データ信号ＶIDと複数の選択信号ＳＥＬとを電気光学パネル１００に出力する。
【００２５】
合成回路４００ａおよび４００ｂは、第１供給回路２００ａが出力した複数の選択信号ＳＥＬと、第２供給回路２００ｂが出力した複数の選択信号ＳＥＬと、を合成して、新たな選択信号ＳＥＬを生成する。合成回路４００ａおよび４００ｂでの合成の手法の詳細については後述する。
電気光学パネル１００は、合成回路４００ａおよび４００ｂで生成された新たな選択信号ＳＥＬを用いて、データ信号ＶIDを信号線１４に分配する。
【００２６】
＜電気光学装置１の詳細＞
図３は、電気光学装置１の構成を模式的に示す図である。
電気光学装置１は、制御回路５００によって制御される。
電気光学パネル１００は、複数の画素ＰIXが行列状に配列された画素部１０と、走査線駆動回路２０と、分配回路群２１と、合成回路４００ａおよび４００ｂと、を備えている。
【００２７】
＜画素部１０＞
画素部１０には、走査線駆動回路２０から行方向（ｘ方向）に沿って延びるＭ（Ｍは２以上の自然数）本の走査線１２と、分配回路群２１から列方向（ｙ方向）に沿って延びるＮ（Ｎは２Ｋ（Ｋは２以上の自然数））本の信号線１４とが形成されている。Ｍ本の走査線１２は、複数の走査線の一例である。Ｍ本の走査線１２とＮ本の信号線１４は、絶縁層を介して互いに交差している。
【００２８】
複数の画素ＰIXは、各走査線１２と各信号線１４との交差の各々に対応して設けられている。このため、複数の画素ＰIXは、縦Ｍ行×横Ｎ行の行列状に配列されている。各画素ＰIXは、走査線１２の選択時の信号線１４の電位に応じた階調を表示する。
画素部１０は、全領域を表示有効領域としてもよいが、周辺部の一部を非表示領域として、周辺部の走査線１２、信号線１４、画素ＰIXをダミー走査線、ダミー信号線、ダミー画素として配置してもよい。
【００２９】
図４は、画素ＰIXの回路図である。各画素ＰIXは、液晶素子４２と選択スイッチ４４とを含んで構成されている。
【００３０】
液晶素子４２は、電気光学素子の一例である。液晶素子４２は、相対向する画素電極４２１および共通電極４２３と、画素電極４２１と共通電極４２３との間に介在する液晶４２５とを含んで構成されている。液晶４２５の透過率は、画素電極４２１と共通電極４２３との間の印加電圧に応じて変化する。なお、以下の説明では便宜的に、画素電極４２１が共通電極４２３よりも高電位である場合の液晶素子４２の印加電圧を「正極性」と称し、画素電極４２１が共通電極４２３よりも低電位である場合の印加電圧を「負極性」と称する。
【００３１】
選択スイッチ４４は、例えば、走査線１２にゲートが接続されたＮチャネル型の薄膜トランジスターで構成されている。選択スイッチ４４は、液晶素子４２（画素電極４２１）と信号線１４との間に介在して両者の電気的な接続（導通／非導通）を制御する。画素ＰIX（液晶素子４２）は、選択スイッチ４４がオン状態に制御されたときの信号線１４の電位に応じた階調を表示する。なお、液晶素子４２に対して並列に接続される補助容量等の図示は省略されている。また、画素ＰIXの構成は適宜に変更され得る。
【００３２】
説明を図３に戻す。Ｎ本の信号線１４は、Ｋ本を１単位としてＪ個の配線群（ブロック）Ｂ[ｊ]（ｊは、１≦ｊ≦Ｊの自然数、Ｊ＝Ｎ/Ｋ）に区分されている。すなわち、信号線１４は配線群ブロックＢ毎にグループ化される。Ｊ個の配線群Ｂ[１]〜Ｂ[Ｊ]は、Ｊ個のデータ線１６[１]〜１６[Ｊ]と１対１で対応する。データ線１６[１]〜１６[Ｊ]には、それぞれ、データ信号ＶID [１]〜ＶID[Ｊ]が供給される。本実施形態では、Ｊは２以上の偶数であり、１単位のＫ本の信号線１４は相隣接(連続配置)するため、奇数番目の配線群Ｂ[ｊｏｄｄ]と偶数番目の配線群Ｂ[ｊｅｖｅｎ]とが、交互に配置されている。データ信号ＶID [１]〜ＶID[Ｊ]は、データ信号ＶID [ｊｏｄｄ]およびデータ信号ＶID [ｊｅｖｅｎ]を含む。
【００３３】
Ｊ個の配線群Ｂ[１]〜Ｂ[Ｊ]のうち奇数番目の配線群Ｂ[ｊｏｄｄ]に属する信号線１４は、複数の第１信号線の一例である。配線群Ｂ[ｊｏｄｄ]は、奇数番目の配線群Ｂ[１]、Ｂ[３]・・・Ｂ[Ｊ−１]を含む。ｊｏｄｄは、「１、３・・・Ｊ−１」を意味する。
第１供給回路２００ａは、配線群Ｂ[ｊｏｄｄ]に属するＫ本の信号線１４に供給する電位を時分割で含むデータ信号ＶID[ｊｏｄｄ]を、第１入力部１１０ａを介して配線群Ｂ[ｊｏｄｄ]に対応するデータ線１６[ｊｏｄｄ]に出力する。
【００３４】
Ｊ個の配線群Ｂ[１]〜Ｂ[Ｊ]のうち偶数番目の配線群Ｂ[ｊｅｖｅｎ]に属する信号線１４は、複数の第２信号線の一例である。配線群Ｂ[ｊｅｖｅｎ]は、偶数番目の配線群Ｂ[２]、Ｂ[４]・・・Ｂ[Ｊ]を含む。ｊｅｖｅｎは、「２、４・・・Ｊ」を意味する。
第２供給回路２００ｂは、配線群Ｂ[ｊｅｖｅｎ]に属するＫ本の信号線１４に供給する電位を時分割で含むデータ信号ＶID[ｊｅｖｅｎ]を、第２入力部１１０ｂを介して配線群Ｂ[ｊｅｖｅｎ]に対応するデータ線１６[ｊｅｖｅｎ]に出力する。
【００３５】
＜制御回路５００＞
制御回路５００は、同期信号を含む各種の信号を用いて、走査線駆動回路２０と、第１供給回路２００ａと、第２供給回路２００ｂとを制御する。制御回路５００は、第１供給回路２００ａ部と第２供給回路２００ｂとを制御する制御部の一例である。以下、制御回路５００が有する機能の例を説明する。
【００３６】
制御回路５００は、図５に示すような、垂直走査期間Ｖを規定する垂直同期信号ＶSYNCと、水平走査期間を規定する水平同期信号ＨSYNCを、走査線駆動回路２０と、第１供給回路２００ａと、第２供給回路２００ｂとに出力する。
【００３７】
制御回路５００は、Ｍ本の走査線１２と奇数番目の配線群Ｂ[ｊｏｄｄ]に属する信号線１４との交差の各々に対応して設けられた複数の画素（複数の第１画素）ＰIXの階調を時分割で指定するデジタルデータ信号Ｄ−ＶID[ｊｏｄｄ]を、第１供給回路２００ａに出力する。制御回路５００は、図５に示すように、データ信号ＶID[ｊｏｄｄ]（図４に示した液晶素子４２の印加電圧）の極性が垂直走査期間Ｖごとに反転するように設定されたデジタルデータ信号Ｄ−ＶID[ｊｏｄｄ]を、第１供給回路２００ａに出力する。第１供給回路２００ａは、デジタルデータ信号Ｄ−ＶID[ｊｏｄｄ]を元にしてデータ信号ＶID[ｉｏｄｄ]を生成する。
ここで、制御回路５００が出力するデジタルデータ信号Ｄ−ＶID[ｊｏｄｄ]と、第１供給回路２００ａが出力するデータ信号ＶID[ｊｏｄｄ]との関係を説明する。
デジタルデータ信号Ｄ−ＶID[ｊｏｄｄ]は、複数の第１画素ＰIXの階調を時分割で指定する。一方、データ信号ＶID[ｊｏｄｄ]は、デジタルデータ信号Ｄ−ＶID[ｊｏｄｄ]が時分割で指定した階調に応じた電位を時分割で含む。データ信号ＶID[ｊｏｄｄ]は、第１データ信号の一例である。
【００３８】
制御回路５００は、Ｍ本の走査線１２と偶数番目の配線群Ｂ[ｊｅｖｅｎ]に属する信号線１４との交差の各々に対応して設けられた複数の画素（複数の第２画素）ＰIXの階調を時分割で指定するデジタルデータ信号Ｄ−ＶID[ｊｅｖｅｎ]を、第２供給回路２００ｂに出力する。制御回路５００は、図５に示すように、データ信号ＶID[ｊｅｖｅｎ]（図４に示した液晶素子４２の印加電圧）の極性が垂直走査期間Ｖごとに反転するように設定されたデジタルデータ信号Ｄ−ＶID[ｊｅｖｅｎ]を、第２供給回路２００ｂに出力する。第２供給回路２００ｂは、デジタルデータ信号Ｄ−ＶID[ｉｅｖｅｎ]を元にしてデータ信号ＶID[ｉｅｖｅｎ]を生成する。
ここで、制御回路５００が出力するデジタルデータ信号Ｄ−ＶID[ｊｅｖｅｎ]と、第２供給回路２００ｂが出力するデータ信号ＶID[ｊｅｖｅｎ]との関係を説明する。
デジタルデータ信号Ｄ−ＶID[ｊｅｖｅｎ]は、複数の第２画素ＰIXの階調を時分割で指定する。一方、データ信号ＶID[ｊｅｖｅｎ]は、デジタルデータ信号Ｄ−ＶID[ｊｅｖｅｎ]が時分割で指定した階調に応じた電位を時分割で含む。データ信号ＶID[ｊｅｖｅｎ]は、第２データ信号の一例である。
【００３９】
第１データ信号および第２データ信号は、いわゆるデータ信号であり、画像の表示に応じた異なる波形の信号であり、例えば、アナログ信号である。
【００４０】
また、制御回路５００は、各配線群Ｂ[ｊ] （ｊ＝１〜Ｊ）内の信号線１４の本数（Ｋ本）に相当するＫ系統の選択信号ＳＥＬ[１]〜ＳＥＬ[Ｋ]を生成する。制御回路５００は、選択信号ＳＥＬ[１]〜ＳＥＬ[Ｋ]を、第１供給回路２００ａと第２供給回路２００ｂに出力する。
【００４１】
制御回路５００は、例えば、ＬＶＤＳ（Low Voltage Differential Signaling；小振幅差動信号方式）で、垂直同期信号ＶSYNCと、水平同期信号ＨSYNCと、デジタルデータ信号Ｄ−ＶID[ｊｏｄｄ]と、選択信号ＳＥＬ[１]〜ＳＥＬ[Ｋ]とを、第１供給回路２００ａに出力する。なお、制御回路５００は、ＬＶＤＳとは異なる方式で、垂直同期信号ＶSYNCと、水平同期信号ＨSYNCと、デジタルデータ信号Ｄ−ＶID[ｊｏｄｄ]と、選択信号ＳＥＬ[１]〜ＳＥＬ[Ｋ]とを、第１供給回路２００ａに出力してもよい。
また、制御回路５００は、例えば、ＬＶＤＳで、垂直同期信号ＶSYNCと、水平同期信号ＨSYNCと、デジタルデータ信号Ｄ−ＶID[ｊｅｖｅｎ]と、選択信号ＳＥＬ[１]〜ＳＥＬ[Ｋ]とを、第２供給回路２００ｂに出力する。なお、制御回路５００は、ＬＶＤＳとは異なる方式で、垂直同期信号ＶSYNCと、水平同期信号ＨSYNCと、デジタルデータ信号Ｄ−ＶID[ｊｅｖｅｎ]と、選択信号ＳＥＬ[１]〜ＳＥＬ[Ｋ]とを、第２供給回路２００ｂに出力してもよい。
【００４２】
＜走査線駆動回路２０＞
走査線駆動回路２０は、走査線駆動部の一例である。走査線駆動回路２０は、図５に示すように、水平同期信号ＨSYNCに応じて、走査信号Ｇ[１]〜Ｇ[Ｍ]をＭ本の走査線１２の各々に単位期間Ｕごとに順次出力して、Ｍ本の走査線１２の各々を順次選択する。単位期間Ｕは、水平同期信号ＨSYNCの１周期の時間長（水平走査期間（１Ｈ））に設定される。
【００４３】
図５に示すように、走査線駆動回路２０は、第ｍ行（第ｍライン）の走査線１２に供給される走査信号Ｇ[m]を、各垂直走査期間Ｖ内のＭ個の単位期間Ｕのうち第ｍ番目の単位期間Ｕ内にてハイレベル（走査線１２の選択を意味する電位）に設定する。走査線１２が選択される期間はライン期間とも呼ばれ、本実施形態では、ほぼ、単位期間Ｕに相当する。
【００４４】
走査線駆動回路２０が第ｍ行の走査線１２を選択すると、第ｍ行のＮ個の画素ＰIXの各選択スイッチ４４がオン状態に遷移する。
【００４５】
図５に示すように、単位期間Ｕは、プリチャージ期間ＴPREと書込期間ＴWRTとを含んでいる。
プリチャージ期間ＴPREは、書込期間ＴWRTの開始前に設けられている。なお、図５では、書込期間ＴWRTの前に１つのプリチャージ期間ＴPREが設けられているが、書込期間ＴWRTの前に複数（例えば２つ）のプリチャージ期間ＴPREが設けられてもよい。
書込期間ＴWRTでは、各画素ＰIXの指定階調に応じたデータ信号ＶID（電位）が、各信号線１４に供給される。プリチャージ期間ＴPREでは、所定のプリチャージ電位ＶPRE（ＶPREa、ＶPREb）が、各信号線１４に供給される。
【００４６】
＜分配回路群２１＞
説明を図３に戻す。分配回路群２１は、Ｊ個の分配回路２１[１]〜２１[Ｊ]を備えている。分配回路２１[１]〜２１[Ｊ]は、配線群Ｂ[１]〜Ｂ[Ｊ]に１対１で対応する。分配回路２１[１]〜２１[Ｊ]の各々として、例えば、デマルチプレクサーが用いられる。
【００４７】
図６は、分配回路２１[１]〜２１[Ｊ]と、第１供給回路２００ａと、第２供給回路２００ｂと、合成回路４００ａおよび４００ｂとの一例を示した図である。
【００４８】
第ｊ（ｊ＝１〜Ｊ）番目の分配回路２１[ｊ]は、第ｊ番目の配線群Ｂ[ｊ]のＫ本の信号線１４に対応するＫ個のスイッチ４０[１]〜４０[Ｋ]を含んで構成される。スイッチ４０[１]〜４０[Ｋ]の各々としては、例えば、トランジスターが用いられる。
【００４９】
分配回路２１[ｊ]内の第ｋ番目（ｋ＝１〜Ｋ）のスイッチ４０[ｋ]は、配線群Ｂ[ｊ]のＫ本の信号線１４のうち第ｋ列目の信号線１４と、Ｊ本のデータ線１６[１]〜１６[Ｊ]のうち第ｊ番目のデータ線１６[ｊ]との間に介在して、両者間の電気的な接続（導通／非導通）を制御する。
【００５０】
奇数番目の分配回路２１[ｊｏｄｄ]は、第１分配部の一例である。奇数番目の分配回路２１[ｊｏｄｄ]は、奇数番目のデータ線１６[ｊｏｄｄ] および第１入力部１１０ａを介して、第１供給回路２００ａと接続されている。第１供給回路２００ａは、第１入力部１１０ａおよび奇数番目のデータ線１６[ｊｏｄｄ]を介して、奇数番目の分配回路２１[ｊｏｄｄ]にデータ信号ＶID[ｊｏｄｄ]を出力する。
【００５１】
奇数番目の分配回路２１[ｊｏｄｄ]は、Ｋ本の選択信号線６０ａ[１]〜６０ａ[Ｋ]を含む選択信号線群６０ａおよび第１入力部１１０ａを介して、合成回路４００ａおよび４００ｂと接続されている。選択信号線６０ａ[１]〜６０ａ[Ｋ]は、電気光学パネル１００に設けられた複数の配線の一例である。選択信号線６０ａ[１]〜６０ａ[Ｋ]は、第１入力部１１０ａと分配回路２１[ｊ]との間に設けられている。
【００５２】
偶数番目の分配回路２１[ｊｅｖｅｎ]は、第２分配部の一例である。偶数番目の分配回路２１[ｊｅｖｅｎ]は、偶数番目のデータ線１６[ｊｅｖｅｎ] および第２入力部１１０ｂを介して、第２供給回路２００ｂと接続されている。第２供給回路２００ｂは、第２入力部１１０ｂおよび偶数番目のデータ線１６[ｊｅｖｅｎ]を介して、偶数番目の分配回路２１[ｊｅｖｅｎ]にデータ信号ＶID[ｊｅｖｅｎ]を出力する。
【００５３】
偶数番目の分配回路２１[ｊｅｖｅｎ]は、選択信号線群６０ａを介して、合成回路４００ａおよび４００ｂと接続されている。
【００５４】
第１供給回路２００ａが出力する第１データ信号（データ信号ＶID[ｊｏｄｄ]）は、第１入力部１１０ａおよび奇数番目のデータ線１６[ｊｏｄｄ] を介して、奇数番目の分配回路２１ [ｊｏｄｄ]に供給される。第２供給回路２００ｂが出力する第２データ信号（データ信号ＶID[ｊｅｖｅｎ]）は、第２入力部１１０ｂおよび偶数番目のデータ線１６[ｊｅｖｅｎ] を介して、偶数番目の分配回路２１ [ｊｅｖｅｎ]に供給される。データ線１６[ｊｏｄｄ]と、データ線１６[ｊｅｖｅｎ]は交互に並ぶように配置される。第１入力部１１０ａと第２入力部１１０ｂとは、電気光学パネル１００の縦方向（ｙ方向）に間隔を空けて並んで配置されている。
この場合、データ線１６[ｊ]のピッチを、データ線１６[ｊｏｄｄ]のピッチおよびデータ線１６[ｊｅｖｅｎ]のピッチよりも小さくできる。また、第１データ信号が供給される画素群（複数の第１画素）と第２データ信号が供給される画素群（複数の第２画素）とを交互に配置しやすくなる。このような画素群の配置が行われると、画素群間の画質の違いを目立ちにくくできる。また、電気光学パネル１００の横方向（ｘ方向）のサイズを大きくすることなく、高精細な画像を表示することが可能となる。
【００５５】
＜第１供給回路２００ａ＞
第１供給回路２００ａは、第１供給部の一例である。第１供給回路２００ａは、データ信号ＶID[ｊｏｄｄ]を出力する第１出力部２００ａ１と第１選択信号ＳＥＬ１[１]〜ＳＥＬ１[Ｋ]を出力する第２出力部２００ａ２および第３出力部２００ａ３を備えている。第１出力部２００ａ１は、第２出力部２００ａ２と第３出力部２００ａ３との間に設けられている。
第１選択信号ＳＥＬ１[１]〜ＳＥＬ１[Ｋ]は、第１供給回路２００ａが出力する選択信号ＳＥＬ[１]〜ＳＥＬ[Ｋ]であり、複数の第１選択信号の一例である。第１選択信号は、配線群Ｂ[ｊｏｄｄ]に属する信号線１４へのデータ信号ＶID[ｊｏｄｄ]の分配と、配線群Ｂ[ｊｅｖｅｎ]に属する信号線１４へのデータ信号ＶID[ｊｅｖｅｎ]の分配と、を制御する信号である。
【００５６】
図３に示すように、第１供給回路２００ａは、制御回路５００から、垂直同期信号ＶSYNCと、水平同期信号ＨSYNCと、デジタルデータ信号Ｄ−ＶID[ｊｏｄｄ]と、選択信号ＳＥＬ[１]〜ＳＥＬ[Ｋ]とを受信する。
第１供給回路２００ａは、デジタルデータ信号Ｄ−ＶID[ｊｏｄｄ]からデータ信号ＶID[ｊｏｄｄ]を生成する。第１供給回路２００ａは、垂直同期信号ＶSYNCと水平同期信号ＨSYNCとに応じたタイミングで、データ信号ＶID[ｊｏｄｄ]を第１出力部２００ａ１からデータ線１６[ｊｏｄｄ]に出力し、第１選択信号ＳＥＬ１[１]〜ＳＥＬ１[Ｋ]を第２出力部２００ａ２から合成回路４００ａに出力し、第１選択信号ＳＥＬ１[１]〜ＳＥＬ１[Ｋ]を第３出力部２００ａ３から合成回路４００ｂに出力する。
【００５７】
＜第２供給回路２００ｂ＞
第２供給回路２００ｂは、第２供給部の一例である。第２供給回路２００ｂは、データ信号ＶID[ｊｅｖｅｎ]を出力する第４出力部２００ｂ１と、第２選択信号ＳＥＬ２[１]〜ＳＥＬ２[Ｋ]を出力する第５出力部２００ｂ２および第６出力部２００ｂ３を備えている。第４出力部２００ｂ１は、第５出力部２００ｂ２と第６出力部２００ｂ３との間に設けられている。
第２選択信号ＳＥＬ２[１]〜ＳＥＬ２[Ｋ]は、第１選択信号ＳＥＬ１[１]〜ＳＥＬ１[Ｋ]と１対１で対応している。第２選択信号ＳＥＬ２[１]〜ＳＥＬ２[Ｋ]は、それぞれ、第１選択信号ＳＥＬ１[１]〜ＳＥＬ１[Ｋ]と同じタイミングのタイミング信号である。第２選択信号ＳＥＬ２[１]〜ＳＥＬ２[Ｋ]は、第２供給回路２００ｂが出力する選択信号ＳＥＬ[１]〜ＳＥＬ[Ｋ]であり、複数の第２選択信号の一例である。第２選択信号は、配線群Ｂ[ｊｏｄｄ]に属する信号線１４へのデータ信号ＶID[ｊｏｄｄ]の分配と、配線群Ｂ[ｊｅｖｅｎ]に属する信号線１４へのデータ信号ＶID[ｊｅｖｅｎ]の分配と、を制御する信号である。
【００５８】
図３に示すように、第２供給回路２００ｂは、制御回路５００から、垂直同期信号ＶSYNCと、水平同期信号ＨSYNCと、デジタルデータ信号Ｄ−ＶID[ｊｅｖｅｎ]と、選択信号ＳＥＬ[１]〜ＳＥＬ[Ｋ]とを受信する。
第２供給回路２００ｂは、デジタルデータ信号Ｄ−ＶID[ｊｅｖｅｎ]からデータ信号ＶID[ｊｅｖｅｎ]を生成する。第２供給回路２００ｂは、垂直同期信号ＶSYNCと水平同期信号ＨSYNCとに応じたタイミングで、データ信号ＶID[ｊｅｖｅｎ]を第４出力部２００ｂ１からデータ線１６[ｊｅｖｅｎ]に出力し、第２選択信号ＳＥＬ２[１]〜ＳＥＬ２[Ｋ]を第５出力部２００ｂ２から合成回路４００ａに出力し、第２選択信号ＳＥＬ２[１]〜ＳＥＬ２[Ｋ]を第６出力部２００ｂ３から合成回路４００ｂに出力に出力する。
【００５９】
＜合成回路４００ａ＞
合成回路４００ａは、合成部の一例である。合成回路４００ａは、第２出力部２００ａ２から出力された第１選択信号ＳＥＬ１[ｋ]と、第５出力部２００ｂ２から出力された第２選択信号ＳＥＬ２[ｋ]と、を合成して第３選択信号ＳＥＬ３[ｋ]、つまり第３選択信号ＳＥＬ３[１]〜ＳＥＬ３[Ｋ]を生成する。第３選択信号ＳＥＬ３[１]〜ＳＥＬ３[Ｋ]は、第３選択信号の一例である。合成回路４００ａは、第３選択信号ＳＥＬ３[ｋ]を選択信号線６０ａ[ｋ]に出力する。選択信号線６０ａ[１]〜６０ａ[Ｋ]は、第３選択信号ＳＥＬ３[１]〜ＳＥＬ３[Ｋ]と１対１で対応する複数の配線の一例である。選択信号線６０ａ[ｋ]は、対応する第３選択信号ＳＥＬ３[ｋ]を、合成回路４００ａから各分配回路２１[ｊ]に伝送する。
【００６０】
＜合成回路４００ｂ＞
合成回路４００ｂは、合成部の一例である。合成回路４００ｂは、第３出力部２００ａ３から出力された第１選択信号ＳＥＬ１[ｋ]と、第６出力部２００ｂ３から出力された第２選択信号ＳＥＬ２[ｋ]と、を合成して第３選択信号ＳＥＬ３[ｋ]（選択信号ＳＥＬ３[１]〜ＳＥＬ３[Ｋ]）を生成する。合成回路４００ｂは、第３選択信号ＳＥＬ３[ｋ]を選択信号線６０ａ[ｋ]に出力する。
【００６１】
＜合成回路４００ａおよび４００ｂの一例＞
図７は、合成回路４００ａおよび４００ｂの一例を示した図である。図７において、図６に示したものと同一構成のものには同一符号を付してある。
第１入力部１１０ａは、第１入力端子１ａ１[１]〜１ａ１[Ｋ]と、第３入力端子１ａ２[１]〜１ａ２[Ｋ]と、を備えている。
第２入力部１１０ｂは、第２入力端子１ｂ１[１]〜１ｂ１[Ｋ]と、第４入力端子１ｂ２[１]〜１ｂ２[Ｋ]と、を備えている。
【００６２】
第１入力端子１ａ１[１]〜１ａ１[Ｋ]は、複数の第１選択信号入力部の一例である。第１入力端子１ａ１[１]〜１ａ１[Ｋ]は、第１選択信号ＳＥＬ１[１]〜ＳＥＬ１[Ｋ]と１対１で対応する。第１入力端子１ａ１[ｋ]には、第１供給回路２００ａの第２出力部２００ａ２から出力された第１選択信号ＳＥＬ１[１]〜ＳＥＬ１[Ｋ]のうち、対応する第１選択信号ＳＥＬ１[ｋ]が入力される。
【００６３】
第２入力端子１ｂ１[１]〜１ｂ１[Ｋ]は、複数の第２選択信号入力部の一例である。第２入力端子１ｂ１[１]〜１ｂ１[Ｋ]は、第２選択信号ＳＥＬ２[１]〜ＳＥＬ２[Ｋ]と１対１で対応する。第２入力端子１ｂ１[ｋ]には、第２供給回路２００ｂの第５出力部２００ｂ２から出力された第１選択信号ＳＥＬ２[１]〜ＳＥＬ２[Ｋ]のうち、対応する第２選択信号ＳＥＬ２[ｋ]が入力される。
【００６４】
第１入力端子１ａ１[ｋ]には、第１配線２ａ１[ｋ]が接続されている。第１配線２ａ１[１]〜２ａ１[Ｋ]は、第１選択信号ＳＥＬ１[１]〜ＳＥＬ１[Ｋ]と１対１で対応する。
第２入力端子１ｂ１[ｋ]には、第２配線２ｂ１[ｋ]が接続されている。第２配線２ｂ１[１]〜２ｂ１[Ｋ]は、第２選択信号ＳＥＬ２[１]〜ＳＥＬ２[Ｋ]と１対１で対応する。
図７に示すように、第１配線２ａ１[ｋ]は、第２配線２ｂ１[ｋ]と隣り合っている。
【００６５】
合成回路４００ａは、接続部３１[１]〜３１[Ｋ]を備えている。
接続部３１[ｋ]は、第１配線２ａ１[ｋ]と第２配線２ｂ１[ｋ]とを接続する。このため、第１入力端子１ａ１[ｋ]および第１配線２ａ１[ｋ]を介して接続部３１[ｋ]に到達した第１選択信号ＳＥＬ１[ｋ]と、第２入力端子１ｂ１[ｋ]および第２配線２ｂ１[ｋ]を介して接続部３１[ｋ]に到達した第２選択信号ＳＥＬ２[ｋ]は、接続部３１[ｋ]で合成され、その合成結果が第３選択信号ＳＥＬ３[ｋ]として選択信号線６０ａ[ｋ]に出力される。
また、第１配線２ａ１[ｋ]と第２配線２ｂ１[ｋ]とは互いに隣り合っているため、第１配線２ａ１[ｋ]と第２配線２ｂ１[ｋ]とを接続部３１[ｋ]で接続するために必要な配線の引き回しを短くできる。
【００６６】
また、第１入力端子１ａ２[１]〜１ａ２[Ｋ]は、複数の第１選択信号入力部の一例である。第１入力端子１ａ２[１]〜１ａ２[Ｋ]は、第１選択信号ＳＥＬ１[１]〜ＳＥＬ１[Ｋ]と１対１で対応する。第１入力端子１ａ２[ｋ]には、第１供給回路２００ａの第３出力部２００ａ３から出力された第１選択信号ＳＥＬ１[１]〜ＳＥＬ１[Ｋ]のうち、対応する第１選択信号ＳＥＬ１[ｋ]が入力される。
【００６７】
第２入力端子１ｂ２[１]〜１ｂ２[Ｋ]は、複数の第２選択信号入力部の一例である。第２入力端子１ｂ２[１]〜１ｂ２[Ｋ]は、第２選択信号ＳＥＬ２[１]〜ＳＥＬ２[Ｋ]と１対１で対応する。第２入力端子１ｂ２[ｋ]には、第２供給回路２００ｂの第６出力部２００ｂ３から出力された第２選択信号ＳＥＬ２[１]〜ＳＥＬ２[Ｋ]のうち、対応する第２選択信号ＳＥＬ２[ｋ]が入力される。
【００６８】
第１入力端子１ａ２[ｋ]には、第１配線２ａ２[ｋ]が接続されている。第１配線２ａ２[１]〜２ａ２[Ｋ]は、第２選択信号ＳＥＬ２[１]〜ＳＥＬ２[Ｋ]と１対１で対応する。
第２入力端子１ｂ２[ｋ]には、第２配線２ｂ２[ｋ]が接続されている。第２配線２ｂ２[１]〜２ｂ２[Ｋ]は、第２選択信号ＳＥＬ２[１]〜ＳＥＬ２[Ｋ]と１対１で対応する。
図７に示すように、第１配線２ａ２[ｋ]は、第２配線２ｂ２[ｋ]と隣り合っている。
【００６９】
合成回路４００ｂは、接続部３２[１]〜３２[Ｋ]を備えている。
接続部３２[ｋ]は、第１配線２ａ２[ｋ]と第２配線２ｂ２[ｋ]とを接続する。このため、第１入力端子１ａ２[ｋ]および第１配線２ａ２[ｋ]を介して接続部３２[ｋ]に到達した第１選択信号ＳＥＬ１[ｋ]と、第２入力端子１ｂ２[ｋ]および第２配線２ｂ２[ｋ]を介して接続部３２[ｋ]に到達した第２選択信号ＳＥＬ２[ｋ]は、接続部３２[ｋ]で合成され、その合成結果が第３選択信号ＳＥＬ３[ｋ]として選択信号線６０ａ[ｋ]に出力される。
また、第１配線２ａ２[ｋ]と第２配線２ｂ２[ｋ]とは互いに隣り合っているため、第１配線２ａ２[ｋ]と第２配線２ｂ２[ｋ]とを接続部３２[ｋ]で接続するために必要な配線の引き回しを短くできる。
【００７０】
本実施形態では、第１選択信号ＳＥＬ１[１]〜ＳＥＬ１[Ｋ]および第２選択信号ＳＥＬ２[１]〜ＳＥＬ２[Ｋ]は、同じ波形の信号として出力され、分配回路２１[ｊ]内のスイッチ４０[ｋ]を所定時間オンとするパルス信号である。
【００７１】
本実施形態では、上記説明のように、第１供給回路２００ａは、データ信号ＶID[ｊｏｄｄ]を奇数番目の分配回路２１[ｊｏｄｄ]に出力する。また、第１供給回路２００ａは、第１選択信号ＳＥＬ１[ｋ]を出力する。一方、第２供給回路２００ｂは、データ信号ＶID[ｊｅｖｅｎ]を偶数番目の分配回路２１[ｊｅｖｅｎ]に出力する。また、第２供給回路２００ｂは、第２選択信号ＳＥＬ２[ｋ]を出力する。奇数番目の分配回路２１[ｊｏｄｄに]は、第３選択信号ＳＥＬ[ｋ]を用いて、配線群Ｂ[ｊｏｄｄ]に属するＫ本の信号線１４へのデータ信号ＶID[ｊｏｄｄ]の分配を行う。また、偶数番目の分配回路２１[ｊｅｖｅｎ]は、第３選択信号ＳＥＬを用いて、配線群Ｂ[ｊｅｖｅｎ]に属するＫ本の信号線１４へのデータ信号ＶID[ｊｅｖｅｎ]の分配を行う。第３選択信号ＳＥＬ[ｋ]は、第１選択信号ＳＥＬ１[ｋ]および 第２選択信号ＳＥＬ２[ｋ]に基づくものである。
すなわち、第１供給回路は、第１データ信号と第１選択信号を第１分配回路に出力し、第２供給回路は、第２データ信号と第２選択信号を第２分配回路に出力する。第１分配回路は、第３選択信号を用いて第１データを第１信号線に分配し、第２分配回路は、第３選択信号を用いて第２データ信号を第２信号線に分配する。第３選択信号は、第１選択信号および第２選択信号に基づき、形成される。
【００７２】
＜動作の概要＞
次に、電気光学装置１の動作の概要を説明する。
第１供給回路２００ａは、データ信号ＶID[ｊｏｄｄ]（第１データ信号）を、第１出力部２００ａ１からデータ線１６[ｊｏｄｄ]に出力する。第１供給回路２００ａは、さらに、第１選択信号ＳＥＬ１[１]〜ＳＥＬ１[Ｋ]を第２出力部２００ａ２から合成回路４００ａに出力し、第１選択信号ＳＥＬ１[１]〜ＳＥＬ１[Ｋ]を第３出力部２００ａ３から合成回路４００ｂに出力する。
【００７３】
第２供給回路２００ｂは、データ信号ＶID[ｊｅｖｅｎ]（第２データ信号）を、第４出力部２００ｂ１からデータ線１６[ｊｅｖｅｎ]に出力する。第２供給回路２００ｂは、さらに、第２選択信号ＳＥＬ２[１]〜ＳＥＬ２[Ｋ]を第５出力部２００ｂ２から合成回路４００ａに出力し、第２選択信号ＳＥＬ２[１]〜ＳＥＬ２[Ｋ]を第６出力部２００ｂ３から合成回路４００ｂに出力する。
【００７４】
合成回路４００ａは、第２出力部２００ａ２から出力された第１選択信号ＳＥＬ１[ｋ]と、第５出力部２００ｂ２から出力された第２選択信号ＳＥＬ２[ｋ]と、を合成して第３選択信号ＳＥＬ３[ｋ]（第３選択信号ＳＥＬ３[１]〜ＳＥＬ３[Ｋ]）を生成する。
また、合成回路４００ｂは、第３出力部２００ａ３から出力された第１選択信号ＳＥＬ１[ｋ]と、第６出力部２００ｂ３から出力された第２選択信号ＳＥＬ２[ｋ]と、を合成して第３選択信号ＳＥＬ３[ｋ]（選択信号ＳＥＬ３[１]〜ＳＥＬ３[Ｋ]）を生成する。
【００７５】
分配回路２１[ｊｏｄｄ]は、合成回路４００ａおよび４００ｂが生成した第３選択信号ＳＥＬ３[１]〜ＳＥＬ３[Ｋ]を用いて、データ信号ＶID[ｊｏｄｄ]を配線群Ｂ[ｊｏｄｄ]内のＫ本の信号線１４に分配する。
分配回路２１[ｊｅｖｅｎ]は、合成回路４００ａおよび４００ｂが生成した第３選択信号ＳＥＬ３[１]〜ＳＥＬ３[Ｋ]を用いて、データ信号ＶID[ｊｅｖｅｎ]を配線群Ｂ[ｊｅｖｅｎ]内のＫ本の信号線１４に分配する。
【００７６】
このように、分配回路２１[１]〜２１[Ｊ]は、第１選択信号ＳＥＬ１[１]〜ＳＥＬ１[Ｋ]と第２選択信号ＳＥＬ２[１]〜ＳＥＬ２[Ｋ]とを合成して生成された第３選択信号ＳＥＬ３[１]〜ＳＥＬ３[Ｋ]を用いてデータ信号ＶIDの分配を行う。つまり、第１選択信号ＳＥＬ１[１]〜ＳＥＬ１[Ｋ]と第２選択信号ＳＥＬ２[１]〜ＳＥＬ２[Ｋ]との両方が、分配回路２１[１]〜２１[Ｊ]を駆動するために使用される。
このため、第１選択信号ＳＥＬ１[１]〜ＳＥＬ１[Ｋ]と第２選択信号ＳＥＬ２[１]〜ＳＥＬ２[Ｋ]のいずれか一方のみが分配回路２１[１]〜２１[Ｊ]で使用される場合に比べて、第１供給回路２００ａと第２供給回路２００ｂとの間の負荷の差が小さくなる。よって、第１供給回路２００ａと第２供給回路２００ｂとの間の負荷の相違に起因するデータ信号ＶID[ｊｏｄｄ]とデータ信号ＶID[ｊｅｖｅｎ]との間のばらつきを低減可能になる。したがって、画質の低下を抑制可能となる。
【００７７】
＜動作の詳細な説明＞
＜１．プリチャージ動作＞
まず、プリチャージ動作について説明する。
【００７８】
第１供給回路２００ａは、図５に示すように、プリチャージ期間ＴPREでは、データ信号ＶID[ｊｏｄｄ]をプリチャージ電位ＶPRE（ＶPREaとＶPREbとのいずれか）に設定する。プリチャージ電位ＶPREは、所定の基準電位ＶREF（例えばデータ信号ＶIDの振幅中心に相当する電位）に対して負極性の電位に設定される。
【００７９】
図５に示すように、データ信号ＶID[ｊｏｄｄ]の電位が基準電位ＶREFに対して正極性に設定される書込期間ＴWRTの直前のプリチャージ期間ＴPREでは、第１供給回路２００ａは、データ信号ＶID[ｊｏｄｄ]を、プリチャージ電位ＶPREaに設定する。
一方、データ信号ＶID[ｊｏｄｄ]の電位が基準電位ＶREFに対して負極性に設定される書込期間ＴWRTの直前のプリチャージ期間ＴPREでは、第１供給回路２００ａは、データ信号ＶID[ｊｏｄｄ]を、プリチャージ電位ＶPREbに設定する。
なお、プリチャージ電位ＶPREaは、プリチャージ電位ＶPREbよりも低い電位である。さらに言えば、プリチャージ電位ＶPREaと基準電位ＶREFとの差は、プリチャージ電位ＶPREbと基準電位ＶREFとの差よりも大きい。
【００８０】
そして、第１供給回路２００ａは、プリチャージ期間ＴPREの間、第１選択信号ＳＥＬ１[１]〜ＳＥＬ１[Ｋ]を一斉にアクティブレベル（スイッチ４０[ｋ]をオン状態に遷移させる電位）に設定する。
【００８１】
第２供給回路２００ｂは、図５に示すように、プリチャージ期間ＴPREでは、データ信号ＶID[ｊｅｖｅｎ]をプリチャージ電位ＶPRE（ＶPREaとＶPREbとのいずれか）に設定する。
【００８２】
データ信号ＶID[ｊｏｄｄ]と同様に、データ信号ＶID[ｊｅｖｅｎ]の電位が基準電位ＶREFに対して正極性に設定される書込期間ＴWRTの直前のプリチャージ期間ＴPREでは、第２供給回路２００ｂは、データ信号ＶID[ｊｅｖｅｎ]を、プリチャージ電位ＶPREaに設定する。
一方、データ信号ＶID[ｊｅｖｅｎ]の電位が基準電位ＶREFに対して負極性に設定される書込期間ＴWRTの直前のプリチャージ期間ＴPREでは、第２供給回路２００ｂは、データ信号ＶID[ｊｅｖｅｎ]を、プリチャージ電位ＶPREbに設定する。
【００８３】
そして、第２供給回路２００ｂは、プリチャージ期間ＴPREの間、第２選択信号ＳＥＬ２[１]〜ＳＥＬ２[Ｋ]を一斉にアクティブレベルに設定する。
【００８４】
合成回路４００ａは、第２出力部２００ａ２から出力された第１選択信号ＳＥＬ１[ｋ]と第５出力部２００ｂ２から出力された第２選択信号ＳＥＬ２[ｋ]とを合成して第３選択信号ＳＥＬ３[ｋ]（選択信号ＳＥＬ３[１]〜ＳＥＬ３[Ｋ]）を生成する（図５のＳＥＬ３[１]〜ＳＥＬ３[Ｋ]参照）。
また、合成回路４００ｂは、第３出力部２００ａ３から出力された第１選択信号ＳＥＬ１[ｋ]と第６出力部２００ｂ３から出力された第２選択信号ＳＥＬ２[ｋ]とを合成して第３選択信号ＳＥＬ３[ｋ]（選択信号ＳＥＬ３[１]〜ＳＥＬ３[Ｋ]）を生成する（図５のＳＥＬ３[１]〜ＳＥＬ３[Ｋ]参照）。
そして、合成回路４００ａが生成した第３選択信号ＳＥＬ３[ｋ]と、合成回路４００ｂが生成した第３選択信号ＳＥＬ３[ｋ]は、選択信号線６０ａ[ｋ]を介して、分配回路２１[１]〜２１[Ｊ]に供給される。
【００８５】
このため、プリチャージ期間ＴPREでは、合成回路４００ａおよび４００ｂが生成した第３選択信号ＳＥＬ３[１]〜ＳＥＬ３[Ｋ]によって、分配回路群２１内のすべてのスイッチ４０[ｋ]はオン状態に遷移し、分配回路群２１と接続する信号線１４の各々（さらには各画素ＰIX内の画素電極４２１）に対して並列にプリチャージ電位ＶPREが供給される。
よって、プリチャージ期間ＴPREにおいても、第１選択信号ＳＥＬ１[１]〜ＳＥＬ１[Ｋ]と第２選択信号ＳＥＬ２[１]〜ＳＥＬ２[Ｋ]のいずれか一方のみが分配回路２１[１]〜２１[Ｊ]で使用される場合に比べて、第１供給回路２００ａと第２供給回路２００ｂとの間で、負荷の差が小さくなり、選択信号の出力に伴う電源電圧の変動の差が小さくなる。このため、データ信号ＶID[ｊｏｄｄ]とデータ信号ＶID[ｊｅｖｅｎ]との間のばらつきを低減でき、プリチャージの効果のばらつきが低減可能になる。したがって、画質の低下を抑制可能となる。
【００８６】
＜２．書込み動作＞
次に、書込み動作について説明する。
【００８７】
第１供給回路２００ａは、第ｍ行の走査線１２の選択期間内の書込期間ＴWRTでは、データ信号ＶID[ｊｏｄｄ]の電位を、第ｍ行の走査線１２と配線群Ｂ[ｊｏｄｄ]内の信号線１４との各交差に対応する画素ＰIXの指定階調に応じた電位に時分割で設定する。各画素ＰIXの指定階調は、制御回路５００から供給されるデジタルデータ信号Ｄ−ＶID[ｊｏｄｄ]で規定されている。
第１供給回路２００ａは、いわゆる焼き付きを防止するため、基準電位ＶREFに対するデータ信号ＶID[ｊｏｄｄ]の電位の極性を、周期的（例えば垂直走査期間Ｖごと）に順次に反転する。
【００８８】
また、第１供給回路２００ａは、書込期間ＴWRTでは、第１選択信号ＳＥＬ１[１]〜ＳＥＬ１[Ｋ]を、Ｋ個の選択期間Ｓ[１]〜Ｓ[Ｋ]（図５参照）にて、順番にアクティブレベルに設定する。
【００８９】
第２供給回路２００ｂは、第ｍ行の走査線１２の選択期間内の書込期間ＴWRTでは、データ信号ＶID[ｊｅｖｅｎ]の電位を、第ｍ行の走査線１２と配線群Ｂ[ｊｅｖｅｎ]内の信号線１４との各交差に対応する画素ＰIXの指定階調に応じた電位に時分割で設定する。各画素ＰIXの指定階調は、制御回路５００から供給されるデジタルデータ信号Ｄ−ＶID[ｊｅｖｅｎ]で規定されている。
また、第２供給回路２００ｂは、基準電位ＶREFに対するデータ信号ＶID[ｊｅｖｅｎ]の電位の極性を、周期的（例えば垂直走査期間Ｖごと）に順次に反転する。
【００９０】
また、第２供給回路２００ｂは、書込期間ＴWRTでは、第２選択信号ＳＥＬ２[１]〜ＳＥＬ２[Ｋ]を、Ｋ個の選択期間Ｓ[１]〜Ｓ[Ｋ]（図５参照）にて、順番にアクティブレベルに設定する。
【００９１】
合成回路４００ａおよび４００ｂの各々は、第１選択信号ＳＥＬ１[ｋ]と第２選択信号ＳＥＬ２[ｋ]とを合成して第３選択信号ＳＥＬ３[ｋ]（第３選択信号ＳＥＬ３[１]〜ＳＥＬ３[Ｋ]）を生成する。
そして、合成回路４００ａが生成した第３選択信号ＳＥＬ３[ｋ]と、合成回路４００ｂが生成した第３選択信号ＳＥＬ３[ｋ]は、選択信号線６０ａ[ｋ]を介して、分配回路２１[１]〜２１[Ｊ]に供給される。
【００９２】
第ｍ行の走査線１２が選択された期間において、選択期間Ｓ[ｋ]では、分配回路２１[１]〜２１[Ｊ]の各々におけるＫ個のスイッチ４０[１]〜４０[Ｋ]のうち第ｋ番目のスイッチ４０[ｋ]（合計Ｊ個のスイッチ４０[ｋ]）は、合成回路４００ａおよび４００ｂが生成した第３選択信号ＳＥＬ３[ｋ]によって、オン状態に遷移する。これにより、各配線群Ｂ[ｊ]の第ｋ列目の信号線１４に、データ信号ＶID[ｊ]の電位が供給される。
すなわち、各単位期間Ｕ内の書込期間ＴWRTでは、Ｊ個の配線群Ｂ[１]〜Ｂ[Ｊ]の各々において、配線群Ｂ[ｊ]内のＫ本の信号線１４に、データ信号ＶID[ｊ]の電位が時分割で供給される。そして、第ｍ行の走査線１２と配線群Ｂ[ｊ]内の第ｋ列目の信号線１４との各交差に対応する画素ＰIXに指定階調に応じた電位が書き込まれる。
【００９３】
このように、書込期間ＴWRTにおいても、合成回路４００ａおよび４００ｂが生成した第３選択信号ＳＥＬ３[１]〜ＳＥＬ３[Ｋ]によって、分配回路群２１内のすべてのスイッチ４０[ｋ]が制御される。このため、第１選択信号ＳＥＬ１[１]〜ＳＥＬ１[Ｋ]と第２選択信号ＳＥＬ２[１]〜ＳＥＬ２[Ｋ]のいずれか一方のみが分配回路２１[１]〜２１[Ｊ]で使用される場合に比べて、第１供給回路２００ａと第２供給回路２００ｂとの間で、負荷の差が小さくなり、選択信号の出力に伴う電源電圧の変動の差が小さくなる。よって、データ信号ＶID[ｊｏｄｄ]とデータ信号ＶID[ｊｅｖｅｎ]との間のばらつきを低減可能になる。したがって、画質の低下を抑制可能となる。
【００９４】
＜分配回路２１[ｊ]の配列方向と第１入力部１１０ａと第２入力部１１０ｂの配列方向＞
図８は、分配回路２１[１]〜２１[Ｊ]の配列方向と、第１入力部１１０ａと第２入力部１１０ｂの配列方向との一例を示した図である。なお、図８では、説明の簡略化のために、電気光学装置１から第１供給回路２００ａとフレキシブル回路基板３００ａとを省略している。
分配回路２１[１]〜２１[Ｊ]は、走査線１２の延びる行方向（ｘ方向）に配列している。第１入力部１１０ａの各入力端子および第２入力部１１０ｂの各入力端子は、それぞれ、行方向に配列している。一方、第１入力部１１０ａと第２入力部１１０ｂは、信号線１４の延びる列方向（ｙ方向）に沿って配列している。第１入力部１１０ａの各入力端子および第２入力部１１０ｂの各入力端子は、対応して、それぞれ、行方向に配置している。
このため、第１入力部１１０ａと第２入力部１１０ｂとの配列方向が、行方向に配列する場合に比べて、電気光学装置１の横方向（ｘ方向）のサイズ（幅）を小さくできる。行方向は、走査線１２の長さ方向であり、列方向である信号線１４の長さ方向と直交している。
【００９５】
なお、第１入力部１１０ａは、第１供給回路２００ａからデータ信号ＶID[ｊｏｄｄ]と第１選択信号ＳＥＬ１[１]〜ＳＥＬ１[Ｋ]とを受ける。第２入力部１１０ｂは、第２供給回路２００ｂからデータ信号ＶID[ｊｅｖｅｎ]と第２選択信号ＳＥＬ２[１]〜ＳＥＬ２[Ｋ]とを受ける。合成回路４００ａおよび４００ｂの各々は、第１入力部１１０ａを介して第１選択信号ＳＥＬ１[１]〜ＳＥＬ１[Ｋ]を受け、第２入力部１１０ｂを介して第２選択信号ＳＥＬ２[１]〜ＳＥＬ２[Ｋ]を受ける。分配回路２１[ｊｏｄｄ]は、第１入力部１１０ａを介してデータ信号ＶID[ｊｏｄｄ]を受け、合成回路４００ａおよび４００ｂから第３選択信号ＳＥＬ３[１]〜ＳＥＬ３[Ｋ]を受ける。分配回路２１[ｊｅｖｅｎ]は、第２入力部１１０ｂを介してデータ信号ＶID[ｊｅｖｅｎ]を受け、合成回路４００ａおよび４００ｂから第３選択信号ＳＥＬ３[１]〜ＳＥＬ３[Ｋ]を受ける。
【００９６】
本実施形態では、第１入力部１１０ａは、第２入力部１１０ｂよりも、分配回路２１[１]〜２１[Ｊ]側に設けられている。また、選択信号線６０ａ[１]〜６０ａ[Ｋ]は、第１入力部１１０ａと分配回路２１[１]〜２１[Ｊ]との間に設けられている。そして、合成回路４００ａおよび４００ｂは、第１入力部１１０ａと選択信号線６０ａ[１]〜６０ａ[Ｋ]との間に設けられている。
このため、第１選択信号ＳＥＬ１[１]〜ＳＥＬ１[Ｋ]と第２選択信号ＳＥＬ２[１]〜ＳＥＬ２[Ｋ]とが選択信号線６０ａ[１]〜６０ａ[Ｋ]に到達する前に、第１選択信号ＳＥＬ１[１]〜ＳＥＬ１[Ｋ]と第２選択信号ＳＥＬ２[１]〜ＳＥＬ２[Ｋ]とを合成できる。よって、第１選択信号ＳＥＬ１[１]〜ＳＥＬ１[Ｋ]が選択信号線６０ａ[１]〜６０ａ[Ｋ]に直接供給され、かつ、第２選択信号ＳＥＬ２[１]〜ＳＥＬ２[Ｋ]が選択信号線６０ａ[１]〜６０ａ[Ｋ]に直接供給される場合に比べて、第１選択信号ＳＥＬ１[１]〜ＳＥＬ１[Ｋ]のみを伝送する配線の長さ、および第２選択信号ＳＥＬ２[１]〜ＳＥＬ２[Ｋ]のみを伝送する配線の長さを短くできる。
【００９７】
本実施形態では、Ｎ本の信号線１４は、横方向に連続配置するＫ本を１単位としてＪ個の配線群Ｂ[ｊ]に区分されていたが、横方向に連続配置しないＫ本を１単位としてＪ個の配線群Ｂ[ｊ]に区分されてもよい。例えば、配線群Ｂ[ｊｏｄｄ]に属する信号線１４と配線群Ｂ[ｊｅｖｅｎ]に属する信号線１４が交互に配置されてもよい。奇数番目の信号線１４が配線群Ｂ[ｊｏｄｄ]に属し、偶数番目の信号線１４が配線群Ｂ[ｊｅｖｅｎ]に属する。この場合でも、配線群Ｂ[ｊｏｄｄ]と配線群Ｂ[ｊｅｖｅｎ]は、奇数番目の配線群と偶数番目の配線群とも言える。また、第１画素および第２画素は、それぞれ、第１供給回路２００ａおよび第２供給回路２００ｂから信号が供給される。
第１データ信号および第１選択信号は、第１供給回路２００ａが供給する信号であり、第１信号線は、第１供給回路２００ａから信号が供給される配線である。また、第２データ信号および第２選択信号は、第２供給回路２００ｂが供給する信号であり、第２信号線は、第２供給回路２００ｂから信号が供給される配線である。また、第１分配部および第２分配部は、それぞれ、第１供給回路２００ａおよび第２供給回路２００ｂからの信号を分配する。
【００９８】
＜第２実施形態＞
本発明を採用した第２実施形態に係る電気光学装置は、図６に示された合成回路４００ａおよび４００ｂとして、第１選択信号ＳＥＬ１[ｋ]と第２選択信号ＳＥＬ２[ｋ]とを受ける接続パットを用いる点で、第１実施形態に係る電気光学装置１と相違する。以下、本発明の第２実施形態について、第１実施形態と異なる点を中心に説明する。
【００９９】
図９は、本実施形態で採用する合成回路４００ａおよび４００ｂの一例を示した図である。
合成回路４００ａは、接続パッド４ａ[１]〜４ａ[Ｋ]を有する。
接続パッド４ａ[１]〜４ａ[Ｋ]は、第１選択信号ＳＥＬ１[１]〜ＳＥＬ１[Ｋ]と１対１で対応し、かつ、第２選択信号ＳＥＬ２[１]〜ＳＥＬ２[Ｋ]と１対１で対応する。
接続パッド４ａ[ｋ]には、第２出力部２００ａ２が出力した第１選択信号ＳＥＬ１[１]〜ＳＥＬ１[Ｋ]のうち対応する第１選択信号ＳＥＬ１[ｋ]と、第５出力部２００ｂ２が出力した第２選択信号ＳＥＬ２[１]〜ＳＥＬ２[Ｋ]のうち対応する第２選択信号ＳＥＬ２[ｋ]とが入力される。このため、接続パッド４ａ[ｋ]で、第１選択信号ＳＥＬ１[ｋ]と第２選択信号ＳＥＬ２[ｋ]とが合成され、第３選択信号ＳＥＬ３[ｋ]が生成される。
【０１００】
合成回路４００ｂは、接続パッド４ｂ[１]〜４ｂ[Ｋ]を有する。
接続パッド４ｂ[１]〜４ｂ[Ｋ]は、第１選択信号ＳＥＬ１[１]〜ＳＥＬ１[Ｋ]と１対１で対応し、かつ、第２選択信号ＳＥＬ２[１]〜ＳＥＬ２[Ｋ]と１対１で対応する。
接続パッド４ｂ[ｋ]には、第３出力部２００ａ３が出力した第１選択信号ＳＥＬ１[１]〜ＳＥＬ１[Ｋ]のうち対応する第１選択信号ＳＥＬ１[ｋ]と、第６出力部２００ｂ３が出力した第２選択信号ＳＥＬ２[１]〜ＳＥＬ２[Ｋ]のうち対応する第２選択信号ＳＥＬ２[ｋ]とが入力される。このため、接続パッド４ｂ[ｋ]で、第１選択信号ＳＥＬ１[ｋ]と第２選択信号ＳＥＬ２[ｋ]とが合成され、第３選択信号ＳＥＬ３[ｋ]が生成される。
【０１０１】
本実施形態によれば、接続パッドで第１選択信号ＳＥＬ１[ｋ]と第２選択信号ＳＥＬ２[ｋ]とを合成できるので、第１実施形態で必要であった、第１配線２ａ１[ｋ]および２ａ２[ｋ]と、第２配線２ｂ１[ｋ]および２ｂ２[ｋ]と、接続部３１[ｋ]および３２[ｋ]とを省略でき、構成の簡略化を図ることが可能になる。
【０１０２】
＜変形例＞
以上の各形態は多様に変形され得る。具体的な変形の態様を以下に例示する。以下の例示から任意に選択された２以上の態様は相矛盾しない限り適宜に併合され得る。
【０１０３】
＜変形例１＞
合成回路４００ａと合成回路４００ｂとのいずれか一方が省略されてもよい。
【０１０４】
＜変形例２＞
上述した実施形態では、図１、２に示すように、フレキシブル回路基板３００ａとフレキシブル回路基板３００ｂとを、電気光学パネル１００の表示方向（ｚ方向）から見て重なるように取り付けられた構成について説明した。しかし、本発明はこのような構成に限定されるものではない。例えば、電気光学パネル１００に、フレキシブル回路基板３００ａとの接続端子３００ａ１およびフレキシブル回路基板３００ｂとの接続端子３００ｂ１を電気光学パネル１００の横方向（ｘ方向）に並べて配置してもよい。この場合、フレキシブル回路基板３００ａとフレキシブル回路基板３００ｂの電気光学パネル１００への実装は容易となる。しかし、この例では、図１、２の接続端子３００ａ１と接続端子３００ｂ１が縦方向（ｙ方向）に配置される構成と比較して、画素部１０に対してフレキシブル回路基板３００ａおよびフレキシブル回路基板３００ｂの実装領域が大きくなる場合や、画素部１０と実装領域とを接続する配線が長くなる場合がある。
【０１０５】
＜変形例３＞
第１供給回路２００ａが分配回路２１[１]〜２１[Ｊ/２]までを駆動し、第２供給回路２００ｂが分配回路２１[（Ｊ/２）＋１]〜２１[Ｊ]までを駆動してもよい。この場合、分配回路２１[１]〜２１[Ｊ/２]と分配回路２１[（Ｊ/２）＋１]〜２１[Ｊ]は、位置的に容易に分けられるので、分配回路２１[１]〜２１[Ｊ]と、第１供給回路２００ａおよび第２供給回路２００ｂとの配線を単純化することが可能になる。
【０１０６】
＜変形例４＞
電気光学装置として液晶装置が用いられたが、電気光学装置は、電気的なエネルギーで光学的な性質が変化する電気光学物質を有する装置であればよい。なお、電気光学物質には、液晶や有機ＥＬ（electro luminescence）などが該当する。
【０１０７】
＜変形例５＞
電気光学パネル１００と接続される配線基板の数は２つに限定されない。３つ以上の配線基板が電気光学パネル１００に接合されてもよい。例えば、３つ以上の配線基板が用いられる場合においても、少なくとも２つの配線基板の供給回路が選択信号を出力し、それらの選択信号が合成されてもよい。
【０１０８】
＜応用例＞
以上の各形態や変形例に例示した電気光学装置は、各種の電子機器に利用され得る。図１０には、上述した電気光学装置を採用した電子機器の具体的な形態が例示されている。
【０１０９】
図１０は、上述した電気光学装置を適用した投射型表示装置（３板式のプロジェクタ）４０００の模式図である。投射型表示装置４０００は、相異なる表示色（赤色，緑色，青色）に対応する３個の電気光学装置１（１Ｒ，１Ｇ，１Ｂ）を含んで構成される。照明光学系４００１は、照明装置（光源）４００２からの出射光のうち赤色成分ｒを電気光学装置１Ｒに供給し、緑色成分ｇを電気光学装置１Ｇに供給し、青色成分ｂを電気光学装置１Ｂに供給する。各電気光学装置１は、照明光学系４００１から供給される各単色光を表示画像に応じて変調する光変調器（ライトバルブ）として機能する。投射光学系４００３は、各電気光学装置１からの出射光を合成して投射面４００４に投射する。上述した電気光学装置１を適用することにより、高精細表示が可能な小型の投射型表示装置４０００が容易に実現できる。
【０１１０】
なお、本発明に係る電気光学装置が適用される電子機器としては、図１０に例示した機器のほか、可搬型のパーソナルコンピューター、携帯情報端末（ＰＤＡ：Personal Digital Assistants），デジタルスチルカメラ，テレビ，ビデオカメラ，カーナビゲーション装置が挙げられる。さらに、該電子機器としては、車載用の表示器（インパネ），電子手帳，電子ペーパー，電卓，ワードプロセッサ，ワークステーション，テレビ電話，ＰＯＳ端末，プリンタ，スキャナ，複写機，ビデオプレーヤ，タッチパネルを備えた機器等などが挙げられる。
【符号の説明】
【０１１１】
１…電気光学装置、１０…画素部、１２…走査線、１４…信号線、２０…走査線駆動回路、２１[１]〜２１[Ｋ]…分配回路、２００ａ…第１供給回路、２００ｂ…第２供給回路、４００ａ，４００ｂ…合成回路、５００…制御回路。
【図１】
2018017792.tif 000003
【図２】
2018017792.tif 000004
【図３】
2018017792.tif 000005
【図４】
2018017792.tif 000006
【図５】
2018017792.tif 000007
【図６】
2018017792.tif 000008
【図７】
2018017792.tif 000009
【図８】
2018017792.tif 000010
【図９】
2018017792.tif 000011
【図１０】
2018017792.tif 000012